(57)【要約】  【課題】  手荷物を把握する手に加えられる負担を軽減でき、また、煩わしい操作をすることなく、更に、手荷物を吊持することによる負荷が一部に集中することを防止できる小型の手荷物吊持具を提供する。  【解決手段】  手荷物吊持具１には、下側へ湾曲する湾曲把握部１１と、湾曲把握部１１の上側に対向配置され、手提げ袋の手提げ部１２を掛止するために上側に開口している掛止溝１２とが設けられており、長さＬ＝約７cm、高さＨ＝約３．５cm、幅＝約２．５cmである。湾曲把握部１１は、運搬者が把握する部分であり、滑り止め凹部１１ａ，１１ａ，１１ａを有する。【選択図】        図１
2005137512.tif 000002
【特許請求の範囲】
【請求項１】
手提げ部を有する手荷物を吊持するための手荷物吊持具において、
湾曲把握部と、該湾曲把握部に対向配置され、前記手提げ部が掛止される掛止溝とを設けてあることを特徴とする手荷物吊持具。
【請求項２】
前記湾曲把握部は、離隔配置された複数の滑り止め凹部を有することを特徴とする請求項１に記載の手荷物吊持具。
【請求項３】
前記湾曲把握部から前記掛止溝にかけて一体に形成されており、凸部を有する第１の半体と、前記凸部に対応する凹部を有する第２の半体とが結合されていることを特徴とする請求項１又は２に記載の手荷物吊持具。
【発明の詳細な説明】
【技術分野】
【０００１】
本発明は、手提げ部を有する手荷物を吊持するための手荷物吊持具に関する。
【背景技術】
【０００２】
スーパーマーケット、コンビニエンスストア等の販売店で購入された品物は、紐状又は帯状の手提げ部を有する手提げ袋に入れられることが多い。また、手提げ袋に入れることができず、更に、持ち運びに適した把握部、係止部等も設けられていない品物には、例えば紐材を用いて手提げ部が設けられることが多い。品物を持ち運ぶ場合、運搬者は、持ち運ぶ品物を、手提げ部を有する手荷物となし、手提げ部を把握して持ち運ぶ。
【０００３】
しかしながら、手荷物の重量が増すにつれて、手提げ部を把握する手に加わる負担は増大する。特に、手提げ部が細く、しかも硬い場合、手提げ部が、把握する手に食い込むことがあった。この結果、運搬者が、把握する手に痛み、疲れ、又は痺れを感じることがあった。
【０００４】
従来、把握する手に加わる負担を軽減して手荷物を持ち運ぶための荷袋運搬用代替取っ手が提案されている（特許文献１参照）。特許文献１に開示されている荷袋運搬用代替取っ手は、一部を切り欠いた環状の湾曲部と、湾曲部の上部に設けられた取っ手部と、切り欠いた湾曲部の両端部に形成された互いに結合可能な結合部とを備えている。運搬者は、まず、結合されている結合部の結合解除操作を行ない、湾曲部を手提げ部に挿通して手荷物を吊り下げ、次いで、解除されている結合部の結合操作を行なう。その後、運搬者は、取っ手部を把握し、手荷物を持ち運ぶ。
【特許文献１】特開平５−３１９４４３号公報
【発明の開示】
【発明が解決しようとする課題】
【０００５】
しかしながら、このような荷袋運搬用代替取っ手は、吊り下げた手荷物が重量物である場合、負荷が結合部に集中して、結合部が破損する可能性があった。また、破損しないまでも、不意に結合部の結合が解除され、手荷物が外れ落ちる可能性があり、安定して手荷物を運ぶことができない虞があった。更に、このような荷袋運搬用代替取っ手は、結合部の結合操作と結合解除操作とを行なう必要があるため、操作が煩わしい。
【０００６】
本発明は斯かる事情に鑑みてなされたものであり、湾曲把握部と掛止溝とを設けてあることにより、把握する手に加えられる負担を軽減でき、また、煩わしい操作をすることなく手荷物を着脱することができ、更に、手荷物を吊持することによる負荷が一部に集中することを防止できる手荷物吊持具を提供することを目的とする。
【０００７】
本発明の他の目的は、湾曲把握部に複数の滑り止め凹部を設けることにより、把握する手に加えられる負担を更に軽減できる手荷物吊持具を提供することにある。
【０００８】
本発明の更に他の目的は、２個の半体で構成してあることにより、容易に形成できる手荷物吊持具を提供することにある。
【課題を解決するための手段】
【０００９】
第１発明に係る手荷物吊持具は、手提げ部を有する手荷物を吊持するための手荷物吊持具において、湾曲把握部と、該湾曲把握部に対向配置され、前記手提げ部が掛止される掛止溝とを設けてあることを特徴とする。
【００１０】
第１発明にあっては、手荷物の運搬者が、手荷物の手提げ部を掛止溝に掛止し、湾曲把握部を把握する。このとき、手荷物は、手荷物吊持具を介して運搬者に吊持される。
【００１１】
第２発明に係る手荷物吊持具は、前記湾曲把握部は、離隔配置された複数の滑り止め凹部を有することを特徴とする。
【００１２】
第２発明にあっては、手荷物の運搬者が、各滑り止め凹部に指の腹を置くようにして湾曲把握部を把握する。
【００１３】
第３発明に係る手荷物吊持具は、前記湾曲把握部から前記掛止溝にかけて一体に形成されており、凸部を有する第１の半体と、前記凸部に対応する凹部を有する第２の半体とが結合されていることを特徴とする。
【００１４】
第３発明にあっては、湾曲把握部及び掛止溝夫々の一部を有する第１の半体の凸部と、湾曲把握部及び掛止溝夫々の他部を有する第２の半体の凹部とを対応させて、２個の半体を結合させることによって、手荷物吊持具を形成する。
【発明の効果】
【００１５】
第１発明の手荷物吊持具によれば、手荷物の運搬者が、湾曲把握部を把握するため、把握する手に加えられる負担を軽減することができる。また、手荷物の手提げ部が、掛止溝に掛止されるため、手荷物吊持具に手荷物を吊持することによって生じる負荷は、掛止溝に分散させることができる。この結果、手荷物を吊持することによって生じる負荷が、手荷物吊持具の一部に集中することを防止でき、負荷が集中した一部が破損することを防止できる。即ち、重量物である手荷物を持ち運ぶ場合であっても、手荷物吊持具の破損をなくすことができる。更に、破損によって手荷物が外れ落ちることを防止でき、運搬者が安定して手荷物を持ち運ぶことができる。
【００１６】
更にまた、手提げ部が掛止される掛止溝を備えるため、運搬者が、結合部の解除操作／結合操作のような煩わしい操作をすることなく手荷物を着脱することができる。また、複数の手荷物を持ち運ぶ場合であっても、各手荷物の手提げ部を掛止溝に掛止することによって、運搬者は湾曲把握部一つのみを把握すれば良いため、複数の手荷物を容易に持ち運ぶことができる。
【００１７】
更に、第２発明の手荷物吊持具によれば、湾曲把握部に設けられた複数の滑り止め凹部に、運搬者の指の腹を置くことによって、湾曲把握部と把握する手との接触面積を増大することができる。このため、湾曲把握部を把握する手が、例えば汗で滑ることが防止できる。この結果、運搬者が、小さい力で湾曲把握部を把握することができ、運搬者の負担を軽減することができる。
【００１８】
更にまた、第３発明の手荷物吊持具によれば、湾曲把握部及び掛止溝夫々の一部、並びに凸部を有する第１の半体と、湾曲把握部及び掛止溝夫々の他部、並びに凹部を有する第２の半体とを、個々に形成することができる。また、個々に形成した２個の半体を、凸部と凹部とを対応させて結合させることによって、手荷物吊持具全体を容易に形成することができる。更に、各半体の結合側に凹所を設けることができるため、２個の半体の結合時に手荷物吊持具内部に空洞を設けることができ、この結果、手荷物吊持具全体を軽量化することができる。更にまた、湾曲把握部から掛止溝にかけて一体に形成されているため、手荷物吊持具を小型化することができる等、本発明は優れた効果を奏する。
【発明を実施するための最良の形態】
【００１９】
以下、本発明を、その実施の形態を示す図面に基づいて詳述する。
【００２０】
図１は、手荷物吊持具１の構成を示す正面図であり、図２は、手荷物吊持具１の構成を示す断面図であり、図３は、手荷物吊持具１の構成を示す分解図である。図２（ａ）は、図１におけるII−II線の断面図であり、図２（ｂ）は、図２（ａ）に示される手荷物吊持具１の分解図である。図３（ａ）は、手荷物吊持具１を構成している第１の半体１ａの内部側正面図であり、図３（ｂ）は、手荷物吊持具１を構成している第２の半体１ｂの内部側正面図である。以下では、図の上／下方向を手荷物吊持具１の上／下方向として説明する。
【００２１】
手荷物吊持具１は、図１及び図３に示すように、正面視が、平坦状の掛止溝１２と掛止溝１２の両端から下側が凸になるように湾曲する湾曲周面とを有する半月状であり、図２に示すように、掛止溝１２の長手方向と直交する位置の断面形状の最外周が、下膨れのＵ字状である。手荷物吊持具１の下部には、下側へ湾曲する湾曲把握部１１が設けられており、手荷物吊持具１の上部には、湾曲把握部１１に対向配置されている掛止溝１２が、上側に開口して設けられている。
【００２２】
手荷物吊持具１は、湾曲把握部１１から掛止溝１２にかけて一体に形成されており、湾曲把握部１１及び掛止溝１２の長手方向（図１，図３中左右方向。以下、長手方向という）に関し、湾曲把握部１１の一端部／他端部と、掛止溝１２の一端部／他端部とが、夫々一致している。また、湾曲把握部１１及び掛止溝１２は、運搬者が湾曲把握部１１を把握した場合に、掛止溝１２が運搬者の掌に位置するように配置されている。
【００２３】
以上の結果、手荷物吊持具１は小型化されている。本実施の形態における手荷物吊持具１は、長手方向の長さＬが約７ｃｍであり、湾曲把握部１１及び掛止溝１２の対向方向（図中上下方向）の高さＨが約３．５ｃｍであり、湾曲把握部１１及び掛止溝１２の幅方向（図２中左右方向。以下、幅方向という）の幅Ｂが約２．５ｃｍである。このような手荷物吊持具１は、手で容易に把握可能であり、また、掌に密着させて楽に把握され、更に、鞄、ポケット等に容易に収容される大きさである。
【００２４】
湾曲把握部１１は、手荷物吊持具１の半月状の湾曲側かつ下膨れのＵ字の湾曲側に相当する。即ち、湾曲把握部１１は、長手方向及び幅方向に関し、下側へ湾曲する曲面で構成されており、平面、角等を含んでいない。このため、湾曲把握部１１と、湾曲把握部１１を把握する手との接触面積が増大して、把握する手への湾曲把握部１１の食い込みが防止され、運搬者に加わる負担が低減されている。
【００２５】
また、湾曲把握部１１は、長手方向に離隔配置された３個の滑り止め凹部１１ａ，１１ａ，１１ａを有する。滑り止め凹部１１ａ，１１ａ，１１ａ夫々も曲面で構成され、滑り止め凹部１１ａ，１１ａ，１１ａの大きさ及び配置は、運搬者が湾曲把握部１１を把握した場合に、人差し指、中指、及び薬指夫々の腹が、滑り止め凹部１１ａ，１１ａ，１１ａに自然に密着する大きさ及び配置である。このため、湾曲把握部１１と把握する手との接触面積が更に増大し、湾曲把握部１１を把握する手が、例えば汗で滑ることが防止される。
【００２６】
掛止溝１２は、手荷物吊持具１のＵ字の開口側に相当する。掛止溝１２は上部が開口しており、幅方向に並設された溝の壁部１２ａ，１２ｂと、長手方向に緩やかに、上側へ湾曲している溝の底面１２ｃとを有し、また、長手方向の両端も開口している。
【００２７】
掛止溝１２には、手提げ袋である手荷物３（図４参照）が有する帯状の手提げ部３１が掛止される。この場合、手提げ部３１は、運搬者によって掛止溝１２の上部開口から内部へ導入される。このとき、手提げ部３１は、底面１２ｃに沿い、両端から外部へ引き出される。また、手提げ部３１は、壁部１２ａ，１２ｂによって、掛止溝１２から脱離することが防止されている。更に、底面１２ｃが緩やかに湾曲しているため、底面１２ｃの長手方向両端に角部が生じて、角部に当接する手提げ部３１の一部に負荷が集中することを防止している。このため、掛止溝１２に掛止された手提げ部３１が磨耗又は破損することが抑制される。更にまた、底面１２ｃが湾曲していることによって、手荷物３の重心と手荷物吊持具１とが略同一鉛直線上に位置するよう、手提げ部３１が底面１２ｃ上を容易に滑る。
【００２８】
掛止溝１２の壁部１２ａには、長手方向端部近傍に、両端に環体を備えるキーホルダ２２の一方の環体が取り付けられる貫通孔１４が形成されている。キーホルダ２２の他方の環体には、鍵２１に形成されている貫通孔が取り付けられている。なお、貫通孔１４には、キーホルダ２２の代わりに、携帯電話機用のストラップ、ボールチェーン等を取り付けても良い。
【００２９】
手荷物吊持具１は、図２（ｂ）及び図３に示すように、湾曲把握部１１の幅方向の一部、掛止溝１２の底面１２ｃの幅方向の一部及び壁部１２ａを有する半体１ａと、湾曲把握部１１の幅方向の他部、掛止溝１２の底面１２ｃの幅方向の他部及び壁部１２ｂを有する半体１ｂとを用いてなる。半体１ａ及び半体１ｂの夫々は、ポリプロピレンのような硬質な合成樹脂材を用い、圧縮成形法、射出成形法等の周知の成形方法によって成形されてなる。なお、手荷物吊持具１は、適度な強度を持つ軽量の金属材料又は木材を用いて形成しても良いが、加工性の点から、合成樹脂材を用いるのが好ましい。
【００３０】
半体１ａは、内部側に４個の凸部１３１ａ，１３２ａ，１３３ａ，１３４ａを、湾曲把握部１１の湾曲に沿って有し、半体１ｂは、内部側に４個の凹部１３１ｂ，１３２ｂ，１３３ｂ，１３４ｂを、湾曲把握部１１の湾曲に沿って有する。凸部１３１ａ及び凹部１３１ｂは、互いに対応する形状を有し、対応する位置に設けられている。同様に、凸部１３２ａ及び凹部１３２ｂ、凸部１３３ａ及び凹部１３３ｂ、並びに凸部１３４ａ及び凹部１３４ｂの夫々も、互いに対応する形状を有し、対応する位置に設けられている。凸部１３１ａ，１３２ａ，１３３ａ，１３４ａと、凹部１３１ｂ，１３２ｂ，１３３ｂ，１３４ｂとを夫々結合させることによって、半体１ａと半体１ｂとが結合される。
【００３１】
このように、手荷物吊持具１は、２個の半体を個別に成形し、次いで、個別に成形された２個の半体である半体１ａ及び半体１ｂを、凸部１３１ａ，１３２ａ，１３３ａ，１３４ａと、凹部１３１ｂ，１３２ｂ，１３３ｂ，１３４ｂとを対応させて結合することによって、容易に形成可能である。
【００３２】
本実施の形態においては、手荷物吊持具１は略中空である。このため、手荷物吊持具１は軽量化されている。ただし、手荷物吊持具１の強度を向上するための内壁１５，１５が設けられている。なお、手荷物吊持具１が中実である場合は、手荷物吊持具１の強度が更に向上される。
【００３３】
図４は、本発明に係る手荷物吊持具１の使用状態を示す斜視図であり、手荷物吊持具１には、手荷物３の手提げ部３１が掛止されており、手荷物吊持具１が、手荷物３の運搬者に把握されている状態を例示している。また、手荷物吊持具１には、キーホルダ２２を介して鍵２１が懸吊されている。
【００３４】
以上のような手荷物吊持具１を用いる場合、手荷物３の運搬者は、手荷物３の手提げ部３１を掛止溝１２に導入して掛止し、滑り止め凹部１１ａ，１１ａ，１１ａに、人差し指、中指、及び薬指夫々の腹を置いて湾曲把握部１１を把握する。この場合、手荷物３は、手荷物吊持具１を介して運搬者に吊持される。このとき、手荷物３の重心と手荷物吊持具１とは略同一鉛直線上に位置するため、掛止溝１２に手提げ部３１が掛止された手荷物３が、手荷物吊持具１から自然と吊り下がり、運搬者は楽な姿勢で湾曲把握部１１を把握可能である。このような手荷物吊持具１は、商店でサービスとして提供されるビニール製又はポリエチレン製の買物袋、布製又は革製の手提げ部を有する手提げ鞄、紐材を用いて緊縛してなる手提げ部が設けられた品物等の手荷物を持ち運ぶ際に、特に好適である。
【００３５】
また、手荷物３の手提げ部３１が、掛止溝１２に掛止されるため、手荷物吊持具１に手荷物３を吊持することによって生じる負荷は、掛止溝１２に分散される。この結果、手荷物３を吊持することによって生じる負荷が、手荷物吊持具１の一部に集中することが防止され、負荷が集中した一部が破損することが防止される。即ち、重量物である手荷物３を持ち運ぶ場合であっても、手荷物吊持具１が破損する可能性が低減される。更に、破損によって手荷物３が外れ落ちることが防止される。更に、手荷物吊持具１は、従来のような結合部を備えないため、運搬者が、結合部の解除操作／結合操作のような煩わしい操作をすることなく、掛止溝１２に手提げ部３１を着脱するだけで、手荷物３が手荷物吊持具１に対して着脱される。
【００３６】
また、手荷物吊持具１に、複数の手荷物３，３，…を掛止する場合、運搬者は、手荷物３，３，…の手提げ部３１，３１，…を全て掛止溝１２に掛止する。このとき、運搬者が把握するのは湾曲把握部１１のみであるため、複数の手荷物３，３，…の持ち運びが容易になる。
【００３７】
なお、手荷物吊持具１は、全体、又は湾曲把握部１１のみを、合成ゴムのような弾性材料を用いて形成しても良い。この場合、把握する手の負担が更に軽減される。また、手荷物吊持具１、特に湾曲把握部１１に、発泡ウレタン、フェルト、発泡ポリエチレン等の弾性材料を用いてなるシートを貼着する場合、手荷物吊持具１が手に馴染み易くなり、更に、手荷物吊持具１を把握する手が滑ることが防止される。
【００３８】
本発明の手荷物吊持具においては、本実施の形態の手荷物吊持具１のように、湾曲把握部と掛止溝とが上下方向に対向配置され、掛止溝が上側に開口し、湾曲把握部が下側へ湾曲していることが好ましい。また、掛止溝が上部に配置され、湾曲把握部が下部に配置されることがより好ましい。
【００３９】
湾曲把握部と掛止溝とが上下方向に対向配置され、掛止溝が上側に開口し、湾曲把握部が下側へ湾曲している場合、掛止溝に手提げ部が掛止された手荷物が、手荷物吊持具から自然と吊り下がり、運搬者が、楽な姿勢で湾曲把握部を把握することができるため、手荷物の持ち運びが容易である。更に、掛止溝が、手荷物吊持具の上部に配置され、湾曲把握部が下部に配置されているときは、把握する手が湾曲把握部を把握するための空間を、湾曲把握部と掛止溝との間に設ける必要がないため、手荷物吊持具を小型化することができる。
【００４０】
また、例えば、湾曲把握部と掛止溝とを別体に設ける場合、湾曲把握部は把握する手に加わる負担を低減するための軟質の材料で形成し、掛止溝は手荷物として重量物を掛止する際にも破損する可能性が低減される硬質の材料で形成することができる。
【図面の簡単な説明】
【００４１】
【図１】本発明に係る手荷物吊持具の構成を示す正面図である。
【図２】本発明に係る手荷物吊持具の構成を示す断面図である。
【図３】本発明に係る手荷物吊持具の構成を示す分解図である。
【図４】本発明に係る手荷物吊持具の使用状態を示す斜視図である。
【符号の説明】
【００４２】
１  手荷物吊持具
１ａ，１ｂ  半体
１１  湾曲把握部
１１ａ  滑り止め凹部
１２  掛止溝
１３１ａ，１３２ａ，１３３ａ，１３４ａ  凸部
１３１ｂ，１３２ｂ，１３３ｂ，１３４ｂ  凹部
３  手荷物
３１  手提げ部
【図１】
2005137512.tif 000003
【図２】
2005137512.tif 000004
【図３】
2005137512.tif 000005
【図４】
2005137512.tif 000006